(57)【要約】      （修正有）【課題】中棒内管がランナー中孔内で大きすぎる隙間の形成、揺れを防止し、また傘の開閉時にスムーズに力をかけずに操作して使用寿命を延ばす多段折畳傘のランナー平衡定位構造を提供する。      【解決手段】多段折畳傘のランナー平衡定位構造は、上ろくろ２０、ランナー３０、中棒及びランナー底部で弾き出して支持するピック４０等から構成され、支持部品及び押圧部品から構成される定位構造と共に作動し、支持部品がランナー内部に入って内管１１を押してピックの弾力に対して平衡を保ち、揺れを防止する。更に傘の開閉時の操作摩擦力を有効に下げ、使用寿命を延ばす。更にこれらの定位構造はバネが押さえる可動凸塊、もしくは弾性片が抑える可動凸塊６０、もしくは傾斜面を具える縦向き押圧桿と共に形成する可動凸塊、もしくは上端が上ろくろに固定され、下段が円弧辺を形成してランナーの中孔と内管の間に入る弾性弓片でもよい。【選択図】図１
0003118851.tif 000002
【実用新案登録請求の範囲】
【請求項１】
ランナー及び上ろくろを繋ぐ中棒を含み、その中棒は内から外に向けて順に内管、少なくとも一段の中管及び外管から構成され、内管側面壁の長孔に内部装置であるピックを設置してランナー底部を押さえて定位する多段折畳傘のランナー平衡定位構造において、
ランナー上で相対するピックが内管を押さえ、ピックが中棒の内管の押圧弾力を平衡にする定位構造であることを特徴とする多段折畳傘のランナー平衡定位構造。
【請求項２】
前記定位構造は、支持部品及び支持部品を押すための押圧部品から構成され、傘を開いた時、支持部品は押圧部品に押されてランナー中孔内壁から入り、内管の外壁を押し、ピックが中棒の内管の押圧弾力を平衡にすることを特徴とする請求項１記載の多段折畳傘のランナー平衡定位構造。
【請求項３】
前記押圧部品はバネであり、支持部品は可動凸塊であって、その両側に枢設柱を凸設し、ランナー側面壁の縦槽下段に枢設し、嵌合蓋で嵌合し、バネの一端で可動凸塊の末端中央凹孔に入れ、別端は嵌合蓋を押さえることを特徴とする請求項２記載の多段折畳傘のランナー平衡定位構造。
【請求項４】
前記支持部品は上側に径向き滑動槽を凹設した可動凸塊であり、一端をランナー側壁の槽孔に枢設し、押圧部品は上側がランナーで固定する弾性片であり、下方の自由端を可動凸塊の径向き滑動槽に入れることを特徴とする請求項２記載の多段折畳傘のランナー平衡定位構造。
【請求項５】
前記支持部品は外端上側に傾斜押圧面を具えた可動凸塊であり、ランナーの槽孔に設置し、また、押圧部品はランナーの側面壁の昇降案内槽内に設置する縦向き押圧桿で、下端に上ろくろの底部と接触する傾斜押圧面を設置することを特徴とする請求項２記載の多段折畳傘のランナー平衡定位構造。
【請求項６】
前記定位構造は、上ろくろに設置し、下段に円弧辺を形成する弾性弓片によって、上端を上ろくろに固定し、傘を開いた時には下段でランナー中孔に入れ、内管とランナー中孔内壁の間で支え、ピックが中棒内管の押圧弾力を平衡にすることを特徴とする請求項１記載の多段折畳傘のランナー平衡定位構造。
【請求項７】
前記弾性弓片は、下端に楔状の導入部を具え、ランナー上端に相対する導入部には外に向かって広がる導入口が設置されることを特徴とする請求項６記載の多段折畳傘のランナー平衡定位構造。
【請求項８】
前記可動凸塊と内管は、相互に接する一端が内管対応箇所の外径表面に合う形状であることを特徴とする請求項３，４もしくは５記載の多段折畳傘のランナー平衡定位構造。
【考案の詳細な説明】
【技術分野】
【０００１】
本考案は、多段折畳傘のランナー平衡定位構造に関するもので、中棒内管がランナー中孔内で大きすぎる隙間の形成、揺れを防止し、また傘の開閉時にスムーズに力をかけずに操作して使用寿命を延ばすものである。
【背景技術】
【０００２】
今日、市場で売られている多重折畳傘の構造は、滑動カバーを含むランナーの中棒の上端に上ろくろが結合され、その中棒は、内から外に向けて順に接続された内管を含み、少なくとも一節の中桿及び外管から構成される。内管側壁面には長孔が設置されてそこに内部装置のピックが弾かれ、ランナー底部で定位する。
【０００３】
特に三段以上の多段折畳傘の構造は、中棒の多節部品内の最も外に当たる外管が往々にして最も内層である内管の管径より大きすぎ、ランナーの中孔もまた外管より大きくなければならないため、傘を開いてランナーを最上端の内管上で定位させる時、ランナーの中孔と管径が最少の内管の間に大きな隙間が開いてしまい、傘中棒はランナーの中孔で揺れることになり、場合によっては内管のピックを設置する時、ランナー底部の支えが外れ、ランナーが下向きに外れてしまう。
【０００４】
下述の考案の構造は、傘骨とランナーの連接端に延長凸桿が設置され、ランナーの中孔まで伸び、内管を支える。これによって中棒が揺れてしまうのを防止するが、延長凸桿と傘の中棒の間に摩擦が生じ、傘の中棒を摩損してしまい、且つ傘の開閉に力がかかり、理想的でない。
【特許文献１】台湾  実用新案登録第ＣＮ２５１６００５号公報（傘具開閉掛合構造）
【考案の開示】
【考案が解決しようとする課題】
【０００５】
解決しようとする問題点は、多段折畳傘のランナー平衡定位構造において、中棒の揺れを防止するための延長凸桿により、中棒が摩損し、且つ傘の開閉に力がかかり過ぎる点を改善することである。
【課題を解決するための手段】
【０００６】
本考案は、上ろくろ、ランナー、中棒及びランナー底部で弾き出して支持するピック等から構成され、支持部品及び押圧部品から構成される定位構造と共に作動する。支持部品がランナー内部に入って内管を押してピックの弾力に対して平衡を保ち、揺れを防止する。更に傘の開閉時の操作摩擦力を有効に下げ、使用寿命を延ばす。更にこれらの定位構造はバネが押さえる可動凸塊、もしくは弾性片が抑える可動凸塊、もしくは傾斜面を具える縦向き押圧桿と共に形成する可動凸塊、もしくは上端が上ろくろに固定され、下段が円弧辺を形成してランナーの中孔と内管の間に入る弾性弓片でもよいことを最も主要な特徴とする。
【０００７】
すなわち、請求項１の考案は、ランナー及び上ろくろを繋ぐ中棒を含み、その中棒は内から外に向けて順に内管、少なくとも一段の中管及び外管から構成され、内管側面壁の長孔に内部装置であるピックを設置してランナー底部を押さえて定位する多段折畳傘のランナー平衡定位構造において、ランナー上で相対するピックが内管を押さえ、ピックが中棒の内管の押圧弾力を平衡にする定位構造であることを特徴とする多段折畳傘のランナー平衡定位構造である。
【０００８】
請求項２の考案は、前記定位構造は、支持部品及び支持部品を押すための押圧部品から構成され、傘を開いた時、支持部品は押圧部品に押されてランナー中孔内壁から入り、内管の外壁を押し、ピックが中棒の内管の押圧弾力を平衡にすることを特徴とする請求項１記載の多段折畳傘のランナー平衡定位構造である。
請求項３の考案は、前記押圧部品はバネであり、支持部品は可動凸塊であって、その両側に枢設柱を凸設し、ランナー側面壁の縦槽下段に枢設し、嵌合蓋で嵌合し、バネの一端で可動凸塊の末端中央凹孔に入れ、別端は嵌合蓋を押さえることを特徴とする請求項２記載の多段折畳傘のランナー平衡定位構造である。
請求項４の考案は、前記支持部品は上側に径向き滑動槽を凹設した可動凸塊であり、一端をランナー側壁の槽孔に枢設し、押圧部品は上側がランナーで固定する弾性片であり、下方の自由端を可動凸塊の径向き滑動槽に入れることを特徴とする請求項２記載の多段折畳傘のランナー平衡定位構造である。
請求項５の考案は、前記支持部品は外端上側に傾斜押圧面を具えた可動凸塊であり、ランナーの槽孔に設置し、また、押圧部品はランナーの側面壁の昇降案内槽内に設置する縦向き押圧桿で、下端に上ろくろの底部と接触する傾斜押圧面を設置することを特徴とする請求項２記載の多段折畳傘のランナー平衡定位構造である。
請求項６の考案は、前記定位構造は、上ろくろに設置し、下段に円弧辺を形成する弾性弓片によって、上端を上ろくろに固定し、傘を開いた時には下段でランナー中孔に入れ、内管とランナー中孔内壁の間で支え、ピックが中棒内管の押圧弾力を平衡にすることを特徴とする請求項１記載の多段折畳傘のランナー平衡定位構造である。
請求項７の考案は、前記弾性弓片は、下端に楔状の導入部を具え、ランナー上端に相対する導入部には外に向かって広がる導入口が設置されることを特徴とする請求項６記載の多段折畳傘のランナー平衡定位構造である。
請求項８の考案は、前記可動凸塊と内管は、相互に接する一端が内管対応箇所の外径表面に合う形状であることを特徴とする請求項３，４もしくは５記載の多段折畳傘のランナー平衡定位構造である。
【考案の効果】
【０００９】
本考案の多段折畳傘のランナー平衡定位構造によれば、傘を開いた時、内管がランナーの中心孔で押さえられ、ランナーの中孔に入って中棒内管を押さえて、ピックの弾力を平衡に保ち、中棒内管がランナー中孔内で大きすぎる隙間を形成したり、揺れたりするのを防止する。
また、多段折畳傘のランナー平衡定位構造を提供することにより、中棒の管壁の摩擦力を有効に下げ、傘の開閉時にスムーズに力をかけずに操作し、使用寿命を延ばす。
【考案を実施するための最良の形態】
【００１０】
本考案の好適な多段折畳傘のランナー平衡定位構造の実施例を、図面を参照して説明する。
【実施例１】
【００１１】
図１、２に示すとおり、本考案の実施例１は、ランナー３０を嵌合した中棒１０を含み、その上端に上ろくろ２０を結合する。中棒１０は内から外に向けて順に嵌合された内管１１、少なくとも一節の中管１２及び外管１３等から構成される。ランナー３０の側面壁には長孔が成形され、そこにピック４０の上段が設置されて弾き出して長さ方向の位置を限定する。
ランナー３０の別側壁は、中棒１０を押さえる定位構造から構成される。この定位構造は、最上支持部品及び最上支持部品を押す押圧部品から構成される。
【００１２】
前記最上支持部品及び最上支持部品を押す押圧部品のうち、押圧部品はバネ５０であり、最上支持部品は下端に凹円弧形の停止端６３を具える可動凸塊６０である。
上端両側の枢設柱６１をランナー３０側面壁の縦向き槽孔３１に枢設し、嵌合蓋３２で嵌合し、バネ５０の一端を可動凸塊６０中央の凹孔６２に入れ、別端は嵌合蓋３２を押さえる。バネ５０が可動凸塊６０に合わさり、ランナー３０中孔内に入り、中棒１０の内管１１を押す。構成は図３に示すとおりである。
【００１３】
図４に示すのは、傘が開いた状態図で、ランナー３０がピック４０に弾き出されて嵌合定位すると、別側がバネ５０によって可動凸塊６０を押さえてランナー３０内で内管１１を押すため、定位構造及びピックに力の大小が同じで方向が反対に働く押圧力が発生し、ランナー３０中孔中央で中棒１０が平衡状態で位置し、中棒３０ランナー３０内で揺れることを防止する。
【００１４】
また、傘を閉じる時、図１に示すとおり、バネ５０に結合した可動凸塊６０が中棒１０各管体を押し、ランナー３０の縦向きの槽孔３１内で回転する。
【実施例２】
【００１５】
実施例２は、図５，６に示すとおり、支持部品は上側に径向き滑動槽６１’を成形する可動凸塊６０’で、一端をランナー３０側面壁の槽孔３７内に枢設する。押圧部品はランナー３０に固定するバネ片３３で、このバネ片３３は下段の自由端を可動凸塊６０’の径向き滑動槽６１’に入れる。
図６に示すとおり、中棒１０が完全に伸びてランナー３０がピック４０によって開かれた時、ピック４０の別側のバネ片３３は可動凸塊６０’を弾いて押し、ランナー３０中孔に入って内管１１を押し、平衡してピック４０を中棒１０内管１１内で押し、中棒１０はランナー３０中心孔で平衡し、偏ったり揺れたりしない。
また、傘を閉じる時、可動凸塊６０’は中棒１０の各管体を押してランナー３０の槽孔３７内で回転して収縮する。これは、図５に示すとおりである。
【実施例３】
【００１６】
実施例３は、図７，８に示すとおり、この支持部品は、外端上側に傾斜面６１″を具えた可動凸塊６０″とし、その内側端と底面で中棒１０が完全に伸び、ランナー３０を押し上げてピック４０に嵌合して開いた状態になった時、ピック４０の別側の弾性片３３が相対し、可動凸塊６０´を押し戻し、ランナー３０の中孔内で内管１１を押し、円弧面６２″（もしくは傾斜欠切面）が接触する。押圧部品はランナー３０側面壁に設置して昇降案内槽３４内の縦向き押圧桿３５を上り、縦向き押圧桿３５下端は傾斜面６１″と相対して設置する傾斜押圧面３５１が設置される。
図８に示すとおり、中棒１０が完全に伸び、ランナー３０をピック４０まで押し上げて嵌合して傘が開いた状態になった時、上昇したランナー３０が縦向き押圧桿３５上端を上ろくろ２０底部とちょうど接触し、またその下端の傾斜押圧面３５１で可動凸塊６０″の傾斜面６１″を押す。また可動凸塊６０″をランナー３０中孔へ押して内管１１へ押止し、ピック４０を中棒１０の内管１１に対して平衡させて中棒１０がランナー３０中孔中央で止まるようにするため、揺れることがない。
また、傘を折り畳む時、可動凸塊６０″内端が中棒１０の各管体を押すことによって、ランナー３０の槽孔３７内へ縮小する。これは、図７に示すとおりである。
【実施例４】
【００１７】
実施例４は、図９、１０に示すとおり、この定位構造は上端が上ろくろに固定する弾性弓片７０で、下段には円弧辺が形成され、下端には楔状の導入部７１が形成され、ランナー３０上端で導入部７１に相対し、外に向かって広がる導入口３６を設置する。図１０に示すとおり、中棒１０が完全に伸びてランナー３０を押し上げ、ピック４０で嵌合して支持する状態の傘が開いた時、弾性弓片７０下端が下向きにランナー３０中孔内に伸び、下段の円弧辺で内管１１とランナー中孔内壁間を支持し、中棒１０内管１１の押圧弾力に対して平衡を保ち、揺れない。傘を閉じる時、ランナー３０を下に移動し、弾性弓片７０をランナー３０中孔から外し、中管１２及び外管１３の順にランナー３０と内管１１の隙間に入れる。これは、図９に示すとおりである。
【００１８】
上述の定位構造は、中棒１０の作用力とピック４０の作用力の大小が等しく、方向が反対で中棒１０の内管１１はランナー３０中孔内で平衡を保ち、揺れず、且つ傘中棒操作時の摩損を有効に減らす。また、多段折畳傘の省力化性能を具え、可動凸塊６０内端の接触端は共に内管１１対応箇所外径表面に合う形状で成形される。
なお、本考案の特徴を損なうものでなければ、上記の各実施例に限定させるものでないことは勿論である。
【図面の簡単な説明】
【００１９】
【図１】本考案の実施例１の傘を折り畳んだ状態図である。
【図２】本考案の実施例１の定位構造の立体分解図である。
【図３】本考案の実施例１の中棒の伸長操作指示図である。
【図４】本考案の実施例１の傘を完全に開いた状態図である。
【図５】本考案の実施例２の傘を折り畳んだ状態図である。
【図６】本考案の実施例２の傘を開いた状態図である。
【図７】本考案の実施例３の傘を折り畳んだ状態図である。
【図８】本考案の実施例３の傘を開いた状態図である。
【図９】本考案の実施例４の傘を折り畳んだ状態図である。
【図１０】本考案の実施例４の傘を開いた状態図である。
【符号の説明】
【００２０】
１０        中棒
１１        内管
１２        中管
１３        外管
２０        上ろくろ
３０        ランナー
３１        槽孔
３２        嵌合蓋
３３        弾片
３４        昇降案内槽
３５        縦向押圧桿
３５１        傾斜面
３６        導入口
３７        槽孔
４０        ピック
５０        バネ
６０        可動凸塊
６０’      可動凸塊
６０″      可動凸塊
６１        枢設柱
６１’      径向滑動槽
６１″      傾斜案内面
６２        凹孔
６２″      円弧面
６３        停止端
７０        弾性弓片
７１        導入部
【図１】
0003118851.tif 000003
【図２】
0003118851.tif 000004
【図３】
0003118851.tif 000005
【図４】
0003118851.tif 000006
【図５】
0003118851.tif 000007
【図６】
0003118851.tif 000008
【図７】
0003118851.tif 000009
【図８】
0003118851.tif 000010
【図９】
0003118851.tif 000011
【図１０】
0003118851.tif 000012